【手続補正書】
【提出日】平成25年10月16日(2013.10.16)
【手続補正１】
【補正対象書類名】特許請求の範囲
【補正対象項目名】全文
【補正方法】変更
【補正の内容】
【特許請求の範囲】
【請求項１】
線順次走査により表示駆動され、複数の異なる視点の映像を表示する表示部と、
前記線順次走査の方向において分割された複数のサブ発光領域を含むように構成されたバックライトと、
複数の開閉部からなる開閉部グループを複数含み、グループ間で互いに異なるタイミングで開閉動作する光バリア部と、
前記表示部における線順次走査に同期して、前記バックライトの各サブ発光領域の発光をそれぞれ制御するバックライト制御部と
を備え、
前記バックライト制御部は、各サブ発光領域の発光輝度を個別に制御する
立体表示装置。
【請求項２】
各サブ発光領域の発光輝度は、前記開閉部の開放期間とそのサブ発光領域の発光期間との相対的なタイミング関係に応じて設定される
請求項１に記載の立体表示装置。
【請求項３】
各サブ発光領域の発光輝度は、前記表示部に一様な映像を表示する場合において、観察者が前記立体表示装置の表示を観察したときの視認輝度が表示面内で均一になるようにそれぞれ設定される
請求項２に記載の立体表示装置。
【請求項４】
前記複数の開閉部は、それぞれが前記線順次走査の方向に延在するように設けられると共に、前記線順次走査の方向と交差する方向に前記開閉部グループが巡回するように並設されている
請求項２または請求項３に記載の立体表示装置。
【請求項５】
前記複数の開閉部は、前記線順次走査の方向に分割され、互いに異なる開閉部グループを構成し、
前記相対的なタイミング関係は、前記開閉部のそれぞれの開放期間と、その開閉部の位置に対応する前記サブ発光領域の発光期間との関係である
請求項４に記載の立体表示装置。
【請求項６】
前記光バリア部は、前記開閉部を前記開閉部グループごとに時分割的に切り替えて開閉動作し、
前記表示部は、開放状態になった前記開閉部に対応する位置に順次映像を表示する
請求項１から請求項５のいずれか一項に記載の立体表示装置。
【請求項７】
前記バックライト制御部は、発光デューティ比によって各サブ発光領域の発光輝度を制御する
請求項１から請求項６のいずれか一項に記載の立体表示装置。
【請求項８】
前記複数のサブ発光領域の発光輝度をそれぞれ設定するための１または複数の輝度パラメータセットを保持する輝度パラメータセット保持部をさらに備えた
請求項１から請求項７のいずれか一項に記載の立体表示装置。
【請求項９】
温度センサをさらに備え、
前記バックライト制御部は、前記温度センサの検出結果に基づいて、前記複数の輝度パラメータセットのうちの１つを選択し、それに基づいて各サブ発光領域の発光輝度を制御する
請求項８に記載の立体表示装置。
【請求項１０】
温度センサと、
前記光バリア部の各開閉部グループの開閉動作を制御する光バリア制御部と
を備え、
前記光バリア制御部は、前記温度センサの検出結果に基づいて、前記各開閉部グループの開閉動作のタイミングを制御する
請求項８または請求項９に記載の立体表示装置。
【請求項１１】
前記開閉部の前記開放期間は、
前記開閉部が遮断状態から開放状態に変化する第１の過渡期間と、
前記開閉部が開放状態を維持する全開期間と、
前記開閉部が開放状態から遮断状態に変化する第２の過渡期間と
を含み、
前記複数のサブ発光領域の発光輝度は、前記第１の過渡期間の長さ、前記全開期間の長さ、前記第２の過渡期間の長さ、前記第１の過渡期間における前記開閉部の光透過率の変化の仕方、および前記第２の過渡期間における前記開閉部の光透過率の変化の仕方により設定される
請求項２から請求項５のいずれか一項に記載の立体表示装置。
【請求項１２】
前記表示部は、前記バックライトと前記光バリア部との間に配置されている
請求項１から請求項１１のいずれか一項に記載の立体表示装置。
【請求項１３】
前記光バリア部は、前記バックライトと前記表示部との間に配置されている
請求項１から請求項１１のいずれか一項に記載の立体表示装置。
【請求項１４】
線順次走査により表示駆動され、複数の異なる視点映像を表示する表示部と、
前記線順次走査の方向において分割された複数のサブ発光領域を含むように構成されたバックライトと、
前記視点映像の切り換えに応じて透過率を切り換える複数の開閉部を備える光バリア部と、
前記表示部における線順次走査に同期して、前記バックライトの各サブ発光領域の発光をそれぞれ制御するバックライト制御部と
を備え、
前記バックライト制御部は、各サブ発光領域の発光輝度を個別に制御する
立体表示装置。
【請求項１５】
光バリアの複数の開閉部を開閉部グループごとに時分割的に切り替えて開閉動作し、
開放状態になった前記開閉部に対応する位置に、複数の異なる視点の映像を線順次走査により表示し、
前記線順次走査の方向において分割された、バックライトの複数のサブ発光領域のそれぞれが、個別に設定された発光輝度で、前記線順次走査に同期して発光する
立体表示装置の表示方法。
【手続補正２】
【補正対象書類名】明細書
【補正対象項目名】００５１
【補正方法】変更
【補正の内容】
【００５１】
（全体動作概要）
制御部４０は、外部より供給される映像信号Ｖdispに基づいて、表示駆動部５０、バックライト駆動部４２、およびバリア駆動部４１に対してそれぞれ制御信号を供給し、これらがお互いに同期して動作するように制御する。バックライト駆動部４２は、制御部４０から供給されるバックライト制御信号ＣＢＬ、および発光輝度データ保持部４３から供給される発光輝度データ４３に基づいてバックライト３０の各発光部ＢＬを駆動する。バックライト３０の各発光部ＢＬは、面発光した光を表示部２０に対して射出する。表示駆動部５０は、制御部４０から供給される映像信号Ｓに基づいて表示部２０を駆動する。表示部２０は、バックライト３０から射出した光を変調することにより表示を行う。バリア駆動部４１は、制御部４０から供給されるバリア制御信号ＣＢＲに基づいて液晶バリア１０を駆動する。液晶バリア１０の開閉部１１，１２（１２Ａ，１２Ｂ）は、バックライト３０から射出し表示部２０を透過した光を透過または遮断する。
【手続補正３】
【補正対象書類名】明細書
【補正対象項目名】００５４
【補正方法】変更
【補正の内容】
【００５４】
映像信号ＳＡが供給された場合には、図９（Ａ）に示したように、表示部２０の画素Ｐｉｘのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ付近に配置された画素Ｐｉｘにそれぞれ表示される。映像信号ＳＡが供給された場合には、液晶バリア１０では、開閉部１２Ａが開状態（透過状態）になるとともに、開閉部１２Ｂが閉状態になるように制御されている。表示部２０の各画素Ｐｉｘから出た光は、開閉部１２Ａによりそれぞれ角度が制限されて出力される。観察者は、例えば左眼で画素情報Ｐ３を、右眼で画素情報Ｐ４を見ることにより、立体的な映像を見ることができる。
【手続補正４】
【補正対象書類名】明細書
【補正対象項目名】００５５
【補正方法】変更
【補正の内容】
【００５５】
映像信号ＳＢが供給された場合には、図９（Ｂ）に示したように、表示部２０の画素Ｐｉｘのそれぞれは、映像信号ＳＢに含まれる６つの視点映像のそれぞれに対応する画素情報Ｐ１〜Ｐ６を表示する。このとき、画素情報Ｐ１〜Ｐ６は、開閉部１２Ｂ付近に配置された画素Ｐｉｘにそれぞれ表示される。映像信号ＳＢが供給された場合には、液晶バリア１０では、開閉部１２Ｂが開状態（透過状態）になるとともに、開閉部１２Ａが閉状態になるように制御されている。表示部２０の各画素Ｐｉｘから出た光は、開閉部１２Ｂによりそれぞれ角度が制限されて出力される。観察者は、例えば左眼で画素情報Ｐ３を、右眼で画素情報Ｐ４を見ることにより、立体的な映像を見ることができる。
【手続補正５】
【補正対象書類名】明細書
【補正対象項目名】００６６
【補正方法】変更
【補正の内容】
【００６６】
次に、タイミングｔ６からタイミングｔ８において、表示部２０では、線順次走査を行われ、その表示が映像信号ＳＢに基づく表示から映像信号ＳＡに基づく表示に変化する（図１０（Ａ））。そして、バックライト３０では、バックライト駆動部４２から供給される駆動信号に基づき、発光部ＢＬ１〜ＢＬ１０が、表示部２０の線順次走査に同期して順次消灯する（図１０（Ｂ））。液晶バリア１０では、タイミングｔ６からタイミングｔ７までの間、開閉部１２Ｂが開状態を維持し、タイミングｔ７からタイミングｔ８において、バリア駆動部４１からの駆動信号に基づき、開閉部１２Ｂが開状態から閉状態に変化する（図１０（Ｄ））。これにより、タイミングｔ６からタイミングｔ７において、バックライト３０が点灯している発光部ＢＬについて、観察者は表示部２０の映像信号ＳＢに基づく表示を見ることができる。
【手続補正６】
【補正対象書類名】明細書
【補正対象項目名】００７４
【補正方法】変更
【補正の内容】
【００７４】
図１２は、白表示時における立体表示装置１の輝度を表すものであり、（Ａ）は各発光部ＢＬ１〜ＢＬ１０の発光輝度Ｊ１〜Ｊ１０を示し、（Ｂ）は表示領域Ｄ１〜Ｄ１０での平均輝度を示す。バックライト駆動部４２は、発光輝度データ保持部４３の発光輝度データ４４に基づき、バックライト３０の各発光部ＢＬ１〜ＢＬ１０の発光輝度Ｊ１〜Ｊ１０を、例えば図１２（Ａ）に示したようにそれぞれ設定する。これにより、図１２（Ｂ）に示したように、白表示時における表示領域Ｄ１〜Ｄ１０での平均輝度をほぼ均一にすることができる。なお、この例では、表示領域Ｄ１〜Ｄ１０の平均輝度は互いに等しくなっているが、これに限定されるものではなく、観察者が画質の劣化を感じない程度にその平均輝度が互いに若干異なっていてもよい。
【手続補正７】
【補正対象書類名】明細書
【補正対象項目名】００８４
【補正方法】変更
【補正の内容】
【００８４】
図１５は、立体表示装置２の一構成例を表すものである。立体表示装置２は、温度センサ６９と、制御部６０と、発光輝度データ保持部６３と、バックライト駆動部６２とを備えている。温度センサ６９は温度を検出するものである。制御部６０は、表示駆動部５０およびバリア駆動部４１を制御するとともに、温度センサ６９から供給された温度情報に基づいて、バックライト駆動部６２を制御するものである。発光輝度データ保持部６３は、発光輝度データ４４を複数含むＬＵＴ（Look Up Table）６４を有している。複数の発光輝度データ４４は、例えば１０℃ごとに設定された複数の温度範囲のそれぞれにおいて、各発光部ＢＬに対して発光輝度Ｊ（後述する発光輝度Ｊ１〜Ｊ１０）を指示するためのものである。バックライト駆動部６２は、制御部６０から供給された温度情報に基づいて、ＬＵＴ６４からその温度に対応する発光輝度データ４４を選択し、その発光輝度データ４４に基づいてバックライト３０を制御する機能を有している。
【手続補正８】
【補正対象書類名】明細書
【補正対象項目名】００９５
【補正方法】変更
【補正の内容】
【００９５】
このように開閉部１２の開閉タイミングを制御した場合でも、バックライト３０の点灯期間と開閉部１２の開状態の期間との相対的なタイミング関係が温度によって変化するため、上記第２の実施の形態における立体表示装置２と同様に、各発光部ＢＬの発光輝度Ｊを温度によって変えることにより、表示面における各表示領域Ｄの平均輝度を互いに等しくすることができる。
【手続補正９】
【補正対象書類名】明細書
【補正対象項目名】０１０６
【補正方法】変更
【補正の内容】
【０１０６】
まず、タイミングｔ１１からタイミングｔ１３において、表示部２０では、線順次走査が行われ、その表示が映像信号ＳＢに基づく表示から映像信号ＳＡに基づく表示に変化する（図２２（Ａ））。そして、バックライト３０では、発光部ＢＬ１〜ＢＬ１０が、表示部２０の線順次走査に同期して順次消灯する（図２２（Ｂ））。液晶バリア８０では、タイミングｔ１２において、区域Ｚ１における開閉部８２Ａが閉状態から開状態に変化し始め（図２２（Ｃ））、タイミングｔ１３において、区域Ｚ２における開閉部８２Ａが閉状態から開状態に変化し始める（図２２（Ｃ））。
【手続補正１０】
【補正対象書類名】明細書
【補正対象項目名】０１０７
【補正方法】変更
【補正の内容】
【０１０７】
次に、タイミングｔ１３からタイミングｔ１５において、表示部２０では、線順次走査が行われ、映像信号ＳＡに基づく表示が行われる（図２２（Ａ））。バックライト３０では、発光部ＢＬ１〜ＢＬ１０が、発光輝度データ４４に基づいた発光輝度で、表示部２０の線順次走査に同期して順次点灯する（図２２（Ｂ））。表示部２０では、タイミングｔ１５からタイミングｔ１７において線順次走査が行われ、その表示が映像信号ＳＡに基づく表示から映像信号ＳＢに基づく表示に変化する（図２２（Ａ））。そして、バックライト３０では、発光部ＢＬ１〜ＢＬ１０が、表示部２０の線順次走査に同期して順次消灯する（図２２（Ｂ））。液晶バリア８０では、タイミングｔ１４からタイミングｔ１６において区域Ｚ１における開閉部８２Ａが開状態を維持し、その後に開状態から閉状態に変化する（図２２（Ｃ））。また、タイミングｔ１５からタイミングｔ１７において区域Ｚ２における開閉部８２Ａが開状態を維持し、その後に開状態から閉状態に変化する（図２２（Ｃ））。一方、タイミングｔ１６において、区域Ｚ１における開閉部８２Ｂが閉状態から開状態に変化し始め（図２２（Ｄ））、タイミングｔ１７において区域Ｚ２における開閉部８２Ｂが閉状態から開状態に変化し始める（図２２（Ｄ））。
【手続補正１１】
【補正対象書類名】明細書
【補正対象項目名】０１０８
【補正方法】変更
【補正の内容】
【０１０８】
次に、タイミングｔ１７からタイミングｔ１９において、表示部２０では、線順次走査が行われ、映像信号ＳＢに基づく表示が行われる（図２２（Ａ））。バックライト３０では、発光部ＢＬ１〜ＢＬ１０が、発光輝度データ４４に基づいた発光輝度で、表示部２０の線順次走査に同期して順次点灯する（図２２（Ｂ））。表示部２０では、タイミングｔ１９からタイミングｔ２１において線順次走査が行われ、その表示が映像信号ＳＢに基づく表示から映像信号ＳＡに基づく表示に変化する（図２２（Ａ））。そして、バックライト３０では、発光部ＢＬ１〜ＢＬ１０が、表示部２０の線順次走査に同期して順次消灯する（図２２（Ｂ））。液晶バリア８０では、タイミングｔ１８からタイミングｔ２０において区域Ｚ１における開閉部８２Ｂが開状態を維持し、その後に開状態から閉状態に変化する（図２２（Ｄ））。また、タイミングｔ１９からタイミングｔ２１において区域Ｚ２における開閉部８２Ｂが開状態を維持し、その後に開状態から閉状態に変化する（図２２（Ｄ））。一方、タイミングｔ２０において、区域Ｚ１における開閉部８２Ａが閉状態から開状態に変化し始め（図２２（Ｃ））、タイミングｔ２１において区域Ｚ２における開閉部８２Ａが閉状態から開状態に変化し始める（図２２（Ｃ））。
【手続補正１２】
【補正対象書類名】明細書
【補正対象項目名】０１０９
【補正方法】変更
【補正の内容】
【０１０９】
以上の動作を繰り返すことにより、立体表示装置４は、開閉部８２Ａにおける表示（映像信号ＳＡに基づく表示）と開閉部８２Ｂにおける表示（映像信号ＳＢに基づく表示）とを交互に繰り返して行う。
【手続補正１３】
【補正対象書類名】明細書
【補正対象項目名】０１１１
【補正方法】変更
【補正の内容】
【０１１１】
図２３は、白表示時における立体表示装置４の輝度を表すものであり、（Ａ）は各発光部ＢＬ１〜ＢＬ１０の発光輝度Ｊ１〜Ｊ１０を示し、（Ｂ）は表示領域Ｄ１〜Ｄ１０での平均輝度を示す。バックライト駆動部４２は、発光輝度データ保持部４３の発光輝度データ４４に基づき、バックライト３０の各発光部ＢＬ１〜ＢＬ１０の発光輝度Ｊ１〜Ｊ１０を、例えば図２３（Ａ）に示したようにそれぞれ設定する。これにより、図２３（Ｂ）に示したように、白表示時における表示領域Ｄ１〜Ｄ１０での平均輝度をほぼ均一にすることができる。なお、図２３（Ａ）において、発光輝度Ｊ５，Ｊ６間に大きな差が生じているのは、区域Ｚ１の開閉部８２と区域Ｚ２の開閉部８２とが異なるタイミングで独立して動作しているためである。